(57)【要約】【課題】  狭い場所でもさや管を容易に切断することが可能なさや管カッターを提供する。【解決手段】  管壁の軸方向断面が波形状を有するさや管を切断するさや管カッターであって、本体１が中心穴２にさや管１０を導入可能な切り欠き部３を有するドーナツ状円盤からなり、該中心穴２の内面部に、さや管１０を円周方向に沿って切断可能な切断刃４が設けられている。【選択図】  図１
2006263838.tif 000002
【特許請求の範囲】
【請求項１】
管壁の軸方向断面が波形状を有するさや管を切断するさや管カッターであって、本体が中心穴にさや管を導入可能な切り欠き部を有するドーナツ状円盤からなり、該中心穴の内面部に、さや管を円周方向に沿って切断可能な切断刃が設けられていることを特徴とするさや管カッター。
【請求項２】
中心穴の内面部及び切り欠き部のさや管当接部に、さや管を導入する際に軸方向断面の波形状に嵌合可能なガイドリブが設けられていることを特徴とする請求項１記載のさや管カッター。
【請求項３】
中心穴の内面部に複数設けられたガイドリブの中間の位置に切断刃が設けられ、切断時にさや管の軸方向断面の波形状における山部を切断可能とされていることを特徴とする請求項２記載のさや管カッター。
【請求項４】
切断刃の高さが、さや管の軸方向断面の波形状における山部の肉厚以上、山部と谷部の高さ以下であることを特徴とする請求項１〜３の何れか１項記載のさや管カッター。
【請求項５】
中心穴に導入されたさや管が切断時に移動することを防止可能な突起が切り欠き部に設けられていることを特徴とする請求項１〜４の何れか１項記載のさや管カッター。
【発明の詳細な説明】
【技術分野】
【０００１】
本発明は、電線や給水給湯管のガイドおよび保護用に用いられるさや管を切断するためのさや管カッターに関する。
【背景技術】
【０００２】
従来、電線や給水給湯管のガイドおよび保護用に用いられるさや管において、その内部の電線および給水給湯管に傷を付けることなく、さや管のみを切断する工具が検討されており、例えば、特許文献１には、波付樹脂管（本発明におけるさや管に相当する）の背面側の溝に入る受け板を備えたカッタ本体に、送りねじによりこの受け部に対して進退動できる刃物台を設け、この刃物台に波付樹脂管の山を挟む２枚の弾性ガイド板と、これらの弾性ガイド板の間に位置し、常に山の中央で波付樹脂管を切断する切断刃とを設けたものが開示されている。
【０００３】
しかし上記カッターは、刃物台が進退動できるための機構が複雑になり、カッターを製造する工程も複雑になるため高価なものとなっていた。また、進退動できるための構造部材等により、カッタ本体が大きくなり、施工現場において設備機器内の狭い場所で切断する場合など作業環境条件によっては、カッタ本体をさや管側面にそって一回転することが周りの物体と干渉するため難しく作業性が劣るという問題があった。
【０００４】
【特許文献１】特開平１０−２７７８３５号公報
【発明の開示】
【発明が解決しようとする課題】
【０００５】
本発明の目的は、上記従来の問題を解決し、狭い場所でもさや管を容易に切断することが可能なさや管カッターを提供することにある。
【課題を解決するための手段】
【０００６】
請求項１記載のさや管カッターは、管壁の軸方向断面が波形状を有するさや管を切断するさや管カッターであって、本体が中心穴にさや管を導入可能な切り欠き部を有するドーナツ状円盤からなり、該中心穴の内面部に、さや管を円周方向に沿って切断可能な切断刃が設けられていることを特徴とする。
【０００７】
請求項２記載のさや管カッターは、請求項１記載のさや管カッターであって、中心穴の内面部及び切り欠き部のさや管当接部に、さや管を導入する際に軸方向断面の波形状に嵌合可能なガイドリブが設けられていることを特徴とする。
【０００８】
請求項３記載のさや管カッターは、請求項２記載のさや管カッターであって、中心穴の内面部に複数設けられたガイドリブの中間の位置に切断刃が設けられ、切断時にさや管の軸方向断面の波形状における山部を切断可能とされていることを特徴とする。
【０００９】
請求項４記載のさや管カッターは、請求項１〜３の何れか１項記載のさや管カッターであって、切断刃の高さが、さや管の軸方向断面の波形状における山部の肉厚以上、山部と谷部の高さ以下であることを特徴とする。
【００１０】
請求項５記載のさや管カッターは、請求項１〜４の何れか１項記載のさや管カッターであって、中心穴に導入されたさや管が切断時に移動することを防止可能な突起が切り欠き部に設けられていることを特徴とする。
【００１１】
本発明における本体の材料としては、特に限定されず、例えば、金属や熱硬化性樹脂もしくは熱可塑性樹脂などの合成樹脂が挙げられる。
【００１２】
本発明のさや管カッターの製造方法としては、特に限定されないが、例えば、ドーナツ状円盤を厚さ方向に２分割した本体部材２個の間に切断刃を挟み込んで貼り合わせる方法を用いた場合には、部品点数が少なく組立作業が単純でコスト面でも安価になる点で好ましい。
【００１３】
また、本体として合成樹脂を用いる場合には、切断刃を予め射出成形などの成型金型内の所定の位置にセットした後、樹脂を注入して成形すること（いわゆる「インサート成形法」）が可能となり、その後の組立作業を必要とせず、より安価に製造することができる点で好ましい。
【発明の効果】
【００１４】
本発明によれば、本体が中心穴にさや管を導入可能な切り欠き部を有するドーナツ状円盤からなり、該中心穴の内面部に、さや管を円周方向に沿って切断可能な切断刃が設けられているので、本体を円周方向に回転させることで容易に切断することが可能となり、切断作業に必要なスペースは、円盤状本体の大きさと概ね同一となる。従って、特に作業スペースが狭くまた一箇所の現場で同一径のさや管を多数カットする必要が発生する住宅建築現場等において作業性が著しく向上する。また、構成部材として、部品点数が少なく容易に製造することができるので、極めて安価なさや管カッターを提供することができる。
【００１５】
上記において、中心穴の内面部及び切り欠き部のさや管当接部に、さや管を導入する際に軸方向断面の波形状に嵌合可能なガイドリブが設けられている場合には、切断位置の決定が容易になるとともに、切断時の回転作業時に、さや管の波形状とリブとが嵌合することにより、さや管が管軸方向へ位置ずれすることを防止し、同一円周上での切断を確実となし得るので、上記効果は更に確実なものとなる。また、上記ガイドリブが複数設けられた場合は、上記効果は更に確実なものとなる。
【００１６】
また、中心穴の内面部に複数設けられたガイドリブの中間の位置に切断刃が設けられ、切断時にさや管の軸方向断面の波形状における山部を切断可能とされた場合には、さや管の内部に挿入された電線や給水給湯管などを傷つける心配がなく、山部のみを選択的に確実に切断することができるので、上記効果は更に確実なものとなる。
【００１７】
また、切断刃の高さが、さや管の軸方向断面の波形状における山部の肉厚以上、山部と谷部の高さ以下である場合には、切断刃の先端が、さや管の内部に突出することを防止することができ、上記同様にさや管の内部に挿入された電線や給水給湯管などを傷つけ難くなるので、上記効果は更に確実なものとなる。
【００１８】
また、中心穴に導入されたさや管が切断時に移動することを防止可能な突起が、切り欠き部に設けられている場合には、安定した位置での切断が可能となるので、上記効果は更に確実なものとなる。
【発明を実施するための最良の形態】
【００１９】
以下、本発明を実施するための最良の形態について、図面を参照しつつ説明する。
図１は本発明のさや管カッターの一例をさや管１０（想像線）と共に示す模式図である。
図１において、本体１は、ドーナツ状円盤の中心穴２にさや管１０を導入可能な切り欠き部３を有している。
【００２０】
中心穴２の内面部には、さや管１０を円周方向に沿って切断可能な２枚の切断刃４，４が互いに向合する位置に設けられている。従って、本体１を円周方向に少なくとも１８０度回転することで、さや管１０を切断することができる。
【００２１】
ドーナツ状円盤の外径ｄ１（以下、「本体１の外径」ともいう）は、通常、さや管１０の外径ｄ２＋１０ｍｍ〜ｄ２＋１００ｍｍとされることが好ましく、狭い場所でもさや管を容易に切断することができる。
【００２２】
図２は本発明に係るさや管カッターの他の一例を示す模式斜視図であり、図３（ａ）はさや管とガイドリブの嵌合状態を説明する模式断面図、図３（ｂ）は同拡大断面図である。
図２においては、中心穴２の内面部２ａ及び切り欠き部３のさや管当接部３ａに、さや管の波形状に嵌合可能な４本のガイドリブ５１，５２，５３，５４が設けられている。また、ガイドリブ５２と５３の中間の位置に切断刃４，４が互いに対向する位置に設けられている。その他の構成は図１に示すものと同様である。図中１１は、さや管１０内に挿入された給水管である。
【００２３】
上記においては、図３（ａ）及び（ｂ）に示すように、さや管１０の波形状とガイドリブ５１〜５４が嵌合可能であり、切断時にさや管の管軸方向への位置ずれを防止するとともに、図３（ｂ）に示すように、同一円周上で波形状の山部のみを選択的に確実に切断することができ、給水管１１を傷つける心配がない。
【００２４】
また、図３（ｂ）に示すように、本発明における切断刃４の高さｈは、さや管１０内に挿入される給水管１１などの傷付きを防止する点で、さや管１０の波形状における山部の肉厚ｔ１以上、谷部の高さｔ２以下であることが好ましい。
【００２５】
図４は本発明に係るさや管カッターの他の一例を示す説明図である。図４（ａ）は同模式斜視図であり、図４（ｂ）は、さや管１０（想像線）、給水管１１（想像線）と共に示す模式上面図である。
上記さや管カッターは、中心穴２に導入されたさや管１０が切断時に移動することを防止可能な突起６，６・・が切り欠き部３のさや管当接部３ａに２対設けられ、互いに向合するように設けられている。その他の構成は図２，３に示すものと同様である。
【００２６】
この場合、突起６，６・・によって、導入されたさや管１０が切断時に移動することを防止し、安定した位置での切断が可能となる。
【図面の簡単な説明】
【００２７】
【図１】本発明に係るさや管カッターの一例をさや管と共に示す模式図である。
【図２】本発明に係るさや管カッターの他の一例を示す模式斜視図である。
【図３】（ａ）はさや管とガイドリブの嵌合状態を説明する模式断面図であり、（ｂ）は同拡大断面図である。
【図４】本発明に係るさや管カッターの他の一例を示す説明図である。（ａ）は模式斜視図であり、（ｂ）は、さや管と共に示す模式上面図である。
【符号の説明】
【００２８】
１  本体
２  中心穴
２ａ  内面部
３  切り欠き部
３ａ  さや管当接部
４  切断刃
５１，５２，５３，５４  ガイドリブ
６  突起
１０  さや管
１１  給水管
【図１】
2006263838.tif 000003
【図２】
2006263838.tif 000004
【図３】
2006263838.tif 000005
【図４】
2006263838.tif 000006